(57)【要約】【課題】  動力式草刈り機の安全性、作業性および使用性を高めることのできる防護カバーを提供する。【解決手段】  動力式で、使用者が手に持って使用する草刈り機２に設けられるものであり、中心部が草刈り機２の軸部４に取付部材３０によって取付けられ、草刈り機２の本体部３の外径よりも大きい長さを有し、軸部４の左右水平方向に延びる水平角棒１０と、水平角棒１０の上側に設けられる上側部２０aおよび下側に設けられる下側部２０ｂを有する薄板状の防護板２０とを備える。少なくとも防護板２０の下側部２０ｂを柔軟性材で構成する。【選択図】      図１
0003179021.tif 000002
【実用新案登録請求の範囲】
【請求項１】
動力式で，使用者が手に持って使用する草刈り機（２）に設けられる防護カバーであって、
中心部が前記草刈り機の軸部（４）に取付けられ，前記草刈り機の本体部（３）の外径よりも大きい長さを有し，前記軸部の左右水平方向に延びる水平角棒（１０）と、
前記水平角棒の上側に設けられる上側部（２０a）および下側に設けられる下側部（２０ｂ）を有する薄板状の防護板（２０）と、
前記水平角棒を前記軸部に取付けるための取付部材（３０）と、を備え、
少なくとも前記防護板の下側部を柔軟性材で構成したことを特徴とする防護カバー。
【請求項２】
動力式で，使用者が手に持って使用する草刈り機（２）に設けられる防護カバーであって、
中心部が前記草刈り機の軸部（４）に取付けられ，前記草刈り機の本体部（３）の外径よりも大きい長さを有し，前記軸部の左右水平方向に延びる水平角棒（１０）と、
前記水平角棒の上側に設けられる上側部（２０a）および下側に設けられる下側部（２０ｂ）を有する薄板状の防護板（２０）と、
前記水平角棒を前記軸部に取付けるための取付部材（３０）と、を備え、
少なくとも前記防護板の下側部を柔軟性材で構成し、
前記水平角棒の左側部（１０a）および右側部（１０ｂ）を，前記中心部を軸にして後方に回動可能として，前記防護板を二つ折り可能としたことを特徴とする防護カバー。
【請求項３】
少なくとも、前記防護板（２０）の上側部（２０a）を透明材で構成したことを特徴とする請求項１または２に記載の防護カバー。
【請求項４】
少なくとも、前記防護板（２０）の下側部（２０ｂ）の左半部（２０ｃ）と右半部（２０ｄ）を、切り離しおよび接合可能としたことを特徴等する請求項１、２または３に記載の防護カバー。
【考案の詳細な説明】
【技術分野】
【０００１】
本考案は、作業者が手に持って使用する動力式草刈り機に取付けられる防護カバーに関するものである。
【背景技術】
【０００２】
公園や畦道などのあらゆる場所において、生い茂っている雑草を刈るための草刈り機として、使用者が両手に持って使用する動力式のものが広く利用されている。この動力式の草刈り機は、操作が比較的簡単であると共に、傾斜地や窪地などのあらゆる場所において使用することができるので便利である。
【０００３】
また、こうした動力式の草刈り機においては、砂利などが使用者に飛散するのを防止するために防護カバーを取付けたものが創案されている（例えば、特許文献１参照）。
【先行技術文献】
【特許文献】
【０００４】
【特許文献１】特開２０１０−１４８４６７号公報
【考案の概要】
【考案が解決しようとする課題】
【０００５】
防護カバーを備えた動力式の草刈り機は、砂利などが使用者に飛散するのを防止するので安全性の点で好ましい。しかし、こうした従来の防護カバーは、通常、草刈り機の軸部の下側に設けられており、従って、使用者の足元への飛散は効果的に防止できるものの、それより上の部分への飛散を良好に防止することができない。
【０００６】
そのため、使用者は、顔に防護マスクを装着し、胸部と胴部に作業胴衣などを着用するなどの重装備を整えた後に作業を行う必要があり、よって、作業の準備に時間を要し、また重労働となり、作業性が低下してしまう。
【０００７】
また、こうした動力式の草刈り機は、平坦地のみでなく溝部や障害物の存在などにより、幅の狭い場所での使用が求められる。しかし、従来の草刈り機に取付けられている防護カバーは、飛散防止のために、金属や硬質プラスチックなどの剛性の高い材料で形成されると共に、草刈り機の本体部（草を刈る回転部分）よりも幅広に形成されているため、こうした要求に応えられないといった使用性の問題もある。
【０００８】
すなわち、例えば、凹凸のある不整地では、凸部分に防護カバーの下面が接触してしまうため本体部の動きを規制してしまい、よって、雑草を十分に短く刈ることができない。また、防護カバーよりも狭い場所に本体部を進入させることができないので、そうした狭い場所での草刈りができない。
【０００９】
本考案はこうした問題に鑑み創案されたもので、動力式草刈り機の安全性、作業性および使用性を高めることのできる防護カバーを提供することを課題とする。
【課題を解決するための手段】
【００１０】
図１乃至図８を参照して説明する。請求項１に記載の防護カバー１は、動力式で、使用者が手に持って使用する草刈り機２に設けられるものであり、中心部が前記草刈り機２の軸部４に取付けられ、前記草刈り機２の本体部３の外径よりも大きい長さを有し、前記軸部４の左右水平方向に延びる水平角棒１０と、前記水平角棒１０の上側に設けられる上側部２０aおよび下側に設けられる下側部２０ｂを有する薄板状の防護板２０と、前記水平角棒１０を前記軸部４に取付けるための取付部材３０とを備える。また、少なくとも前記防護板２０の下側部２０ｂを柔軟性材で構成している。
【００１１】
請求項２に記載の防護カバー１は、動力式で、使用者が手に持って使用する草刈り機２に設けられるものであり、中心部が前記草刈り機２の軸部４に取付けられ、前記草刈り機２の本体部３の外径よりも大きい長さを有し、前記軸部４の左右水平方向に延びる水平角棒１０と、前記水平角棒１０の上側に設けられる上側部２０aおよび下側に設けられる下側部２０ｂを有する薄板状の防護板２０と、前記水平角棒１０を前記軸部４に取付けるための取付部材３０と、を備える。
【００１２】
また、少なくとも前記防護板２０の下側部２０ｂを柔軟性材で構成している。さらに、前記水平角棒１０の左側部１０aおよび右側部１０ｂを、前記中心部を軸にして後方に回動可能として、前記防護板２０を二つ折り可能とした。
【００１３】
請求項３に記載の防護カバー１は、請求項１または２に記載の考案において、少なくとも、前記防護板２０の上側部２０aを透明材で構成している。
【００１４】
請求項４に記載の防護カバー１は、請求項１、２または３に記載の考案において、少なくとも前記防護板２０の下側部２０ｂの左半部２０ｃと右半部２０ｄを、切り離しおよび接合可能としている。
【考案の効果】
【００１５】
請求項１に記載の防護カバー１は、中心部が草刈り機２の軸部４に取付部材３０によって取付けられ、草刈り機２の本体部３の外径よりも大きい長さを有し、前記軸部４の左右水平方向に延びる水平角棒１０と、当該水平角棒１０の上側に設けられる上側部２０aおよび下側に設けられる下側部２０ｂを有する薄板状の防護板２０とを備え、少なくとも防護板２０の下側部２０ｂを柔軟性材で構成したので、動力式草刈り機２の安全性、作業性および使用性を高めることができる。
【００１６】
すなわち、防護板２０の上側部２０ａを軸部４の上側に配置したので、砂利等が使用者の足元以外（顔、胸部および胴部など）に直接飛散することも防止することができるが、切刃部の対面にコンクリート壁や大きな石等の障害物がある場合に、粒子の粗い小石や砂等が無作為な飛び方をして跳ね返る時があるので、防護メガネは着用しておく必要がある。これにより、草刈り機２の安全性を高めることができる。なお、足元への飛散は、防護板２０の下側部２０ｂで防止することができる。
【００１７】
また、これにより、顔に防護マスクを装着したり、胸部および胴部に作業胴衣を着用する必要がないので、草刈り作業を軽装備で迅速かつ容易に行うことができる。従って、作業性の向上を図ることができる。
【００１８】
さらに、防護板２０の少なくとも下側部２０ｂを柔軟材で構成したので、その下端部が地面に当たった際に自由に弾性変形して、本体部３の動きを規制しない。従って、草刈り動作を阻害しないので、草刈り機２の使用性を高めることができる。
【００１９】
請求項２に記載の防護カバー１は、請求項１に記載の考案と同様の効果を発揮する。また、水平角棒１０の左側部１０aおよび右側部１０ｂを、その中心部を軸にして後方に回動可能として防護板２０を二つ折り可能としたので、防護板２０の幅よりも狭い場所に生えている雑草を刈る場合は、水平角棒１０の左側部１０aと右側部１０ｂをその幅に応じて後方に回動させる。これによって、防護板２０の幅を可能に短くすることができるので、幅の狭い場所での草刈り作業を容易に行うことができる。
【００２０】
請求項３に記載の防護カバー１は、請求項１および２に記載の考案と同様の効果を発揮する。また、少なくとも、防護板２０の上側部２０aを透明材で構成したので、当該防護板２０を通して雑草を視認することができ、よって作業性が向上する。
【００２１】
請求項４に記載の防護カバー１は、請求項１乃至３に記載の考案と同様の効果を発揮する。また、少なくとも、防護板２０の下側部２０ｂの左半部２０ｃと右半部２０ｄを切り離しおよび接合可能としたので、両者を切り離した状態とし、その両者の間に軸部４を通すことによって、防護カバー１を軸部４に容易に取付けることができる。
【図面の簡単な説明】
【００２２】
【図１】本考案の実施形態に係る防護カバーを取付けた草刈り機を示す側面図である。
【図２】本考案の実施形態に係る防護カバーを示す背面図である。
【図３】図２に示す防護カバーの側面図である（取付部材は分解状態を示す）。
【図４】図２に示す防護カバーの分解背面図である（取付部材を除く）。
【図５】図２の要部拡大図である。
【図６】図５のX−X線断面図である。
【図７】図５の平面図である。
【図８】図２に示す防護カバーの使用形態を示す概略平面図である。
【図９】図２に示す防護カバーの使用形態を示す概略平面図である。
【図１０】従来のぼう護カバーを併用した本考案防護カバーを取り付けた草刈り機の要部側面図である。
【考案を実施するための形態】
【００２３】
本考案に係る防護カバー１の実施形態を、図１乃至図８に示す。この防護カバー１は、エンジン６で作動する動力式で、使用者が、軸部４から左右に延びる把手部５を手で握って使用する草刈り機２に設けられるものであり、水平角棒１０、防護板２０および取付部材３０を備える。また、なお、この草刈り機２は、その軸部４の上端部に肩掛け紐７を有する。
【００２４】
水平角棒１０は、その中心部が草刈り機２の軸部４の下端部に着脱可能に取付けられ、草刈り機２の本体部（回転部分）３の外径よりも約４倍程度大きい長さを有し、軸部４の左右水平方向に延びた状態で設けられている。なお、本体部３には、草を刈る部分である２本の刃部（ストリング）３ａを設けてあり、作業者から見て刃部３ａ，３ａは反時計方向に回動する。
【００２５】
この水平角棒１０は、軸部４に取付部材３０を介して取付けられる。当該取付部材３０の構成は限定されるものではないが、本実施形態においては第一部材３１、第二部材３２および第三部材３３で構成している。
【００２６】
第一部材３１は、下に凹の湾曲部を有し、軸部４の下面に配置される。第二部材３２は、上方に凸の湾曲した円弧部３２ａの左右両側から水平部３２ｂを横設して構成され、円弧部３２ａが軸部４を押圧した状態で水平部３２ｂが第一部材３１に当接する。
【００２７】
第三部材３３は、第二部材３２の水平部３２ｂに上載される二つの上載部３３ａと、その上載部３３ａから立設された立設部３３ｂと、立設部３３ｂから後方水平方向へ延設された延設部３３ｃとで構成される。第一部材３１と第二部材３２の水平部３２ｂと第三部材３３の上載部３３ａとをボルトなどの締結部材３４で締め付けることによって、取付部材３０を軸部４に固定することができる。
【００２８】
第三部材３３の延設部３３ｃの中心部には、外周面に螺条を刻設した軸ピン３５を立設している。また、水平角棒１０は、左側部１０aと右側部１０ｂとに分割し、それらの内方側の端部に孔部を形成し、その孔部を上下に重合した状態で軸ピン３５を嵌挿させ、蝶ナット３８で締め付けている。これにより、水平角棒１０を、その左側部１０aと右側部１０ｂとを軸ピン３５を中心として後方に回動可能としている。
【００２９】
また、この延設部３３ｃの左右両端部には一対のストッパー３６を立設し、それぞれが水平角棒１０の左側部１０aと右側部１０ｂの前端に当接して、当該水平角棒１０が前方側に回動するのを阻止している。
【００３０】
防護板２０は、水平角棒１０の上側に設けられる上側部２０ａおよび下側に設けられる下側部２０ｂを有する薄板状である。この防護板２０の上側部２０ａは、肉厚が１ｍｍ程度で弾性変形できる透明のアクリル板で構成し、下側部２０ｂは、肉厚が１ｍｍ程度のゴム材で構成している。上側部２０ａおよび下側部２０ｂは別体成形され、共に水平角棒１０に取付けられている。
【００３１】
従って、水平角棒１０の左側部１０aと右側部１０ｂが後方に回動すると、防護板２０の左半部２０ｃと右半部２０ｄはそれに従って後方に折れ曲がり、二つ折り状態となる（図８参照）。
【００３２】
なお、防護板２０の下側部２０ａの左半部２０ｃと右半部２０ｄはそれぞれ別体成形され、その内側部分が相互に重なるように水平角棒１０に固定されている。従って、両者は切り離しでき、また、面ファスナー２１によって容易に接合することができる。なお、刃部３ａ，３ａが反時計方向に回動すると、左側に飛散物が多く発生するので、防護板下側左半部２０ｃを防護板下側右半部２０ｄよりも大きくしてある。
【００３３】
本実施形態に係る防護カバー１は、防護板２０の上側部２０aを軸部４の上側に配置しているので、砂利等が使用者の足元以外（顔、胸部および胴部など）に飛散することも防止できる。これにより、草刈り機２の安全性を高めることができる。
【００３４】
また、これにより、顔に防護マスクを装着したり、胸部および胴部に作業胴衣を着用する必要がないので、草刈り作業を通常通りの軽装で迅速かつ容易に行うことができる。従って、作業性の向上を図ることができる。なお、軽装で作業することができるので、平地はもとより、傾斜地においても長時間にわたって作業することができる。
【００３５】
さらに、防護板２０の下側部２０ｂを柔軟材で構成したので、地面に障害物が存在しない場合は、下側部２０ｂの下端が地面に沿って移動し（図９（ａ）参照）、地面に小石などの障害物Ｓが存在する場合は、下側部２０ｂの下端部がその障害物Ｓに当たって自由に弾性変形する（図９（ｂ））。従って、防護板２０の下側部２０ｂによって本体部３の動きは規制されず、その結果、草刈り動作が阻害されないので、草刈り機２の使用性を高めることができる。
【００３６】
また、水平角棒１０の左側部１０aおよび右側部１０ｂを、その中心部を軸にして後方に回動可能として防護板２０を二つ折り可能としているので、その横幅を容易に短くすることができ（図８参照）、よって、防護板２０の幅よりも狭い場所に生えている雑草も容易に刈ることができる。
【００３７】
さらに、防護板２０の上側部２０aを透明材で構成しているので、当該防護板２０を通して雑草を視認することができ、よって作業性が向上する。
【００３８】
またさらに、防護板２０の左半部２０ｃと右半部２０ｄを、面ファスナー２１によって切り離しおよび接合可能としたので、両者を切り離した状態とし、その両者の間に軸部４を通すことによって、防護カバー１を軸部４に後から容易に取付けることができる。
【００３９】
なお、本考案に係る防護カバー１は、図１０及び図５，６に仮線でに示すように、既存のぼう護カバー５０と共に使用することができる。その場合、取付部材３０として既存のぼう護カバー５０のものを使用し、一つの取付部材３０で本考案に係る防護カバー１と既存のぼう護カバー５０を軸部４に取付けることができる。
【００４０】
なお、前記したように取付部材３０の構成は限定されるものではなく、従って、例えば、第二部材３２を省いて、第一部材３１と第三部材３３とで構成することができる。この場合は、第三部材３３に第二部材３２の円弧部３２ａのように、軸部４を上から押圧する湾曲凹部を形成する。
【００４１】
なお、防護板２０の横寸法Ｌは４５ｃｍ程度、防護板上側部２０ａの縦寸法Ｈは１９ｃｍ程度、防護板下側部の縦寸法Ｋは２５ｃｍ程度、軸部４の回転中心軸に対する防護板２０の左端迄の横寸法Ｍは２７ｃｍ程度、軸部４の回転中心軸に対する防護板２０の右端迄の横寸法Ｎは１８ｃｍ程度である。
【符号の説明】
【００４２】
１        防護カバー
２        草刈り機
３        本体部
３ａ      刃部（ストリング）
４        軸部
５        把手部
６        エンジン
７        肩掛け紐
１０      水平角棒
１０a     左側部
１０ｂ    右側部
２０      防護板
２０a     上側部
２０ｂ    下側部
２０ｃ    左半部
２０ｄ    右半部
２１      面ファスナー
３０      取付部材
３１      第一部材
３２      第二部材
３２ａ    円弧部
３２ｂ    水平部
３３      第三部材
３３ａ    上載部
３３ｂ    立設部
３３ｃ    延設部
３４      締結部材
３５      軸ピン
３６      ストッパー
３７      蝶ナット
５０      ぼう護カバー
Ｓ        障害物
【図１】
0003179021.tif 000003
【図２】
0003179021.tif 000004
【図３】
0003179021.tif 000005
【図４】
0003179021.tif 000006
【図５】
0003179021.tif 000007
【図６】
0003179021.tif 000008
【図７】
0003179021.tif 000009
【図８】
0003179021.tif 000010
【図９】
0003179021.tif 000011
【図１０】
0003179021.tif 000012